(57)【要約】【課題】  体形補正機能を有する衣類の所定個所に求められる締め付けパワーが適宜に調整可能であり、しかも簡単かつ安価に施すことができる体形補正機能付き衣類を提供する。【解決手段】  体形補正機能付き衣類は、伸縮性を有する生地により構成され、上記衣類の所定部位には、上記生地の伸縮性を弱めるように伸縮性が上記生地よりも小さい糸３ａ、４ａによりジグザグ状に縫製した伸縮制限部２が設けられている。体形を補正する所定部位に伸縮制限部２を縫製するだけで締め付けパワーが得られる。【選択図】  図１
2009068136.tif 000002
【特許請求の範囲】
【請求項１】
伸縮性を有する生地により構成される衣類において、
上記衣類の所定部位には、上記生地の伸縮性を弱めるように伸縮性が上記生地よりも小さい糸によりジグザグ状に縫製した伸縮制限部を設けたことを特徴とする体形補正機能付き衣類。
【請求項２】
上記伸縮制限部は、所定角度傾斜させてジグザグ状に縫製した複数条の制限帯を形成すると共に、複数状の上記制限帯とは対称の角度に傾斜させてジグザグ状に縫製した複数条の制限帯を互いにクロスさせて形成した請求項１に記載の体形補正機能付き衣類。
【請求項３】
上記衣類の内面には、所定個所にセラミックパウダー、ブラックシリカ或いはジャモンストン、及びゲルマニウムパウダー等の鉱物の粉体を有する遠赤外線発生膜が設けられ、この遠赤外線発生膜は、多数個の円形や多角形状に形成した小片膜を互いに離間させて所定の範囲に配列して構成し、上記遠赤外線発生膜の範囲に複数条の上記制限帯が縫製されている請求項１又は２のいずれかに記載の体形補正機能付き衣類。
【発明の詳細な説明】
【技術分野】
【０００１】
本発明は、体形補正機能を有する衣類に関し、詳しくは、伸縮性が生地よりも小さい糸を縫製することにより伸縮制限を行うようにした衣類に関する。
【背景技術】
【０００２】
従来から、体形補正を行う機能を有する衣類として、体型補正機能付きのガードルやパンツが知られている。例えば、特開平１０−６０７０６号公報（特許文献１）には、伸縮性布帛からなるパンティ・ガードルの背面に、伸縮性布帛を三重、二重、一重となるように厚さを変化させて締め付けパワーを調整した補強材を取り付けたガードルが開示されている。また、特開２００３−１３８４０２号公報（特許文献２）には、編地を編成する時点でパワー強弱部を編み分けて編成することにより体形補正機能を持たせた衣類が開示されている。さらに、特開２００６−２２７８号公報（特許文献３）には、生地に穴をあけることにより生地の締め付けパワーを弱めるように調整して体形補正を行うようにした衣類が開示されている。
【０００３】
【特許文献１】特開平１０−６０７０６号公報
【特許文献２】特開２００３−１３８４０２号公報
【特許文献３】特開２００６−２２７８号公報
【発明の開示】
【発明が解決しようとする課題】
【０００４】
特許文献１に開示された衣類は、締め付けパワーの調整を行う部分によって厚さが異なり、大きい締め付けパワーを必要とする部分ほど生地が分厚くなり、着用感及び外観を損ね、生地の裁断、縫製等の工数を要しコスト高となるのみならず、連続的な締め付けパワーの調整を行うことができないという問題点があった。また、特許文献２に開示された衣類は、商品の型紙及びそれぞれの締め付けパワー部位に合致させた編み立てが必要となり、コスト高が避けられず、しかも、連続的な締め付けパワーの調整を行うことができないという問題点があった。さらに、特許文献２に開示された衣類は、生地自体に穴をあけるために、伸縮性が弱められることはあっても、強くすることができず、しかも、穴の切断面からほつれが生じ易いことから、ほつれが生じない特殊な生地を使用しなくてはならず、コスト高が避けらない。さらには、多数の穴から皮膚が露出するために、嫌悪感を与えることがある。
【０００５】
そこで、本発明が解決しようとする課題は、体形補正機能を有する衣類の所定個所に求められる締め付けパワーが適宜に調整可能であり、しかも簡単かつ安価に施すことができる体形補正機能付き衣類を提供することにある。
【課題を解決するための手段】
【０００６】
本発明からなる体形補正機能付き衣類は、伸縮性を有する生地により構成され、上記衣類の所定部位には、上記生地の伸縮性を弱めるように伸縮性が上記生地よりも小さい糸によりジグザグ状に縫製した伸縮制限部が設けられている。
【０００７】
上記伸縮制限部は、所定角度傾斜させてジグザグ状に縫製した複数条の制限帯を形成すると共に、複数状の上記制限帯とは対称の角度に傾斜させてジグザグ状に縫製した複数条の制限帯を互いにクロスさせて形成することが好ましい。
【０００８】
上記衣類の内面には、所定個所にセラミックパウダー、ブラックシリカ或いはジャモンストン、及びゲルマニウムパウダー等の鉱物の粉体を有する遠赤外線発生膜が設けられ、この遠赤外線発生膜は、多数個の円形や多角形状に形成した小片膜を互いに離間させて所定の範囲に配列して構成し、上記遠赤外線発生膜の範囲に複数条の上記制限帯が縫製されている。
【発明の効果】
【０００９】
本発明によれば、伸縮性を有する衣類の生地よりも小さい伸縮性の糸をジグザグ状に縫製することにより、生地の伸縮性を弱めるようにしていることから、体形を補正する所定部位に縫製するだけで必要な締め付けパワーを得ることが可能となる。このとき、伸縮制限部を縫製によって形成することができるので、安価なコストで形成することが可能となる。しかも、縫製する糸の色を適宜に選択することにより、デザイン性を向上させることができる。
【００１０】
さらに、所定角度傾斜させてジグザグ状に縫製した複数条の制限帯と、対称の角度に傾斜させた複数状の制限帯とを互いにクロスさせて伸縮制限部することにより、各制限帯による伸縮性の調整に加え、互いにクロスさせた制限帯同士により伸縮性の調整ができるので、所定の部位に必要な締め付けパワーを与えることが可能となる。
【００１１】
また、衣類の所定個所に、セラミックパウダー及びゲルマニウムパウダー等の鉱物の粉体からなる遠赤外線発生膜が設けられているので、大きな放射強度の遠赤外線が放射され、身体を適度に暖めることが可能となり、この遠赤外線発生膜に上記伸縮制限部を形成することにより、締め付けパワーを与える部位を適度に暖めるので、伸縮制限部による引き締め効果を助長させることが可能となる。
【発明を実施するための最良の形態】
【００１２】
体形補正機能付き衣類は、伸縮性を有する生地により構成され、衣類の所定部位には、生地の伸縮性を弱めるように伸縮性が生地よりも小さい糸によりジグザグ状に縫製した伸縮制限部２が設けられている。
【００１３】
上記伸縮制限部は、所定角度傾斜させてジグザグ状に縫製した複数条の制限帯を形成すると共に、複数状の制限帯とは対称の角度に傾斜させてジグザグ状に縫製した複数条の制限帯を互いにクロスさせて形成している。
【００１４】
上記衣類の内面には、所定個所にセラミックパウダー、ブラックシリカ或いはジャモンストン、及びゲルマニウムパウダー等の鉱物の粉体を有する遠赤外線発生膜が設けられている。この遠赤外線発生膜は、多数個の円形や多角形状に形成した小片膜を互いに離間させて所定の範囲に配列して構成し、遠赤外線発生膜の範囲に複数条の制限帯が縫製されている。
【実施例１】
【００１５】
以下、図面に基づいて本発明の実施例を詳細に説明する。図１は、本発明に関わる衣類の第１の実施例として、腹巻き１に適用した例を示している。衣類としての腹巻き１は、伸縮性を有する木綿、羊毛などの動植物繊維、或いは、ナイロン、テトロン等の合成繊維等が使用され、好ましくは、綿にポリウレタン、スパンテック素材などの素材を加えることにより伸縮性を増加させた生地が良い。
【００１６】
腹巻き１の前身頃に相当する前側には、伸縮制限部２が設けられている。この伸縮制限部２は、伸縮性が生地よりも小さい糸３ａ、４ａによりジグザグ状に縫製した複数条の制限帯３、４によって構成されている。制限帯３、４に使用される糸３ａ、４ａは、絹  綿  麻、ポリエステルやナイロンなどの合繊等の伸縮性が上記生地よりも小さいミシン糸や縫い糸等が採用される。このように、伸縮制限部２を設けることによって、腹巻き１の前身頃に相当する前側の所定部位が、生地の伸縮性を弱められ、この結果、体形補正機能が付与される。
【００１７】
図２（Ａ）（Ｂ）（Ｃ）は、制限帯３の伸縮制限作用を説明する説明図であり、制限帯３が自由状態では、ジグザグ状に縫製した糸３ａは幅Ｗ０となっている。制限帯３を図２（Ｂ）に示すように、幅方向に伸長したときは、制限帯３の伸長が制限されるため、所定の幅Ｗ１以上には伸長しないので生地の伸縮が制限される。また、制限帯３を図２（Ｃ）に示すように、長手方向に伸長した場合は、やはり制限帯３の伸長が制限されるため、幅Ｗ２が小さくなるものの、所定の伸長長さＬ１以上には伸長しないことから、生地の伸縮が制限される。すなわち、生地を縦横に伸長させても制限帯３の糸３ａによって生地の伸縮を制限することになる。
【００１８】
また、伸縮制限部２は、所定角度傾斜させてジグザグ状に縫製した複数条の制限帯３と複数状の制限帯３とは対称の角度に傾斜させてジグザグ状に縫製した複数条の制限帯４を互いにクロスさせている。図３（Ａ）（Ｂ）（Ｃ）は、制限帯３と制限帯４とをクロスさせさせたときの伸縮制限作用を説明する説明図であり、自由状態では、４個所のクロスポイントにおける縦方向の間隔Ａ０と横方向の間隔Ｂ０は、図３（Ａ）に示すようになっている。次に、図３（Ｂ）に示すように、伸縮制限部２を横方向に伸長したときは、制限帯３、４の糸３ａにより伸長が制限を受けるので、間隔Ｂ１までとなって生地の伸縮が制限される。また、次に、図３（Ｃ）に示すように、伸縮制限部２を縦方向に伸長したときは、やはり、制限帯３、４の糸３ａにより伸長が制限を受けるので、間隔Ａ１までとなって生地の伸縮が制限される。
【００１９】
このように、所定角度傾斜させてジグザグ状に縫製した複数条の制限帯３と制限帯４とが互いにクロスするように所定角度傾斜させることにより、制限帯３、４のクロスポイントにおける間隔を制限することから、伸縮制限部２における腹巻き１の生地の伸縮が制限を受ける。この結果、腹巻き１は、伸縮制限部２の部位の締め付けパワーを増加させることが可能となる。
【００２０】
図４は、腹巻き１を装着したときの状態を示している。腹巻き１に設けた伸縮制限部２は、体形の補正を必要とする、例えば人５の腹部に対応させている。伸縮制限部２は生地の伸縮性が弱められているので、締め付けパワーが強められているので、腹部は、二点鎖線で示す通常の腹巻き１を装着した状態と比較し、伸縮制限部２に対応する部位が、強められた締め付けパワーによって実線で示すように圧縮される。
【００２１】
一方、伸縮制限部２が設けられた腹巻き１の内面には、遠赤外線発生膜６が設けられている。遠赤外線発生膜６は、前方の腹側と後方の背側に各々形成されている。
【００２２】
上記遠赤外線発生膜６は、図５に示すように、多数個の六角形状に形成した小片膜７を互いに離間した状態で所定の範囲に配列することにより構成されている。小片膜７の寸法は、対向する辺の長さを約３ｍｍ乃至１５ｍｍに設定している。また、小片膜７を離間させる寸法は、約０．５ｍｍ乃至１０ｍｍに設定している。小片膜７の寸法が３ｍｍ以下のときは、後述する遠赤外線やマイナスイオンの放射量が小さくなり、所定の効果が得られず、１５ｍｍ以上のときは、放射量が大きくなるものの小片膜７によって繊維表面が覆われるために肌触りが悪化すると共に、小片膜７に汗が付着して放出されなくなる恐れがある。一方、小片膜７の離間寸法が０．５ｍｍ以下のときは、汗を放出する面積が小さくなり放出効率が悪化し、１０ｍｍ以上のときは、この部分に小片膜７が存在しないことから、身体に対する遠赤外線やマイナスイオンの放射量が小さくなる。
【００２３】
上記遠赤外線発生膜６は、セラミックパウダー、ブラックシリカ或いはジャモンストンからなる第１の鉱物の粉体、及びゲルマニウムパウダーからなる第２の鉱物の粉体を繊維に接着可能な液状の原料接着剤に混合した状態で塗布した後に固化させることにより、腹巻き１の内面に膜が形成されている。上記粉体は、セラミックパウダー、ブラックシリカ或いはジャモンストンのいずれか一種、または二種以上を適宜な分量で混合して使用しても良い。上記遠赤外線発生膜６は、スクリーン印刷による方法、スプレーにより塗布する方法、或いは、周知の印刷法によって腹巻き１に対して印刷塗布される。
【００２４】
このようにして、セラミックパウダー、ブラックシリカ或いはジャモンストンの少なくとも一種からなる第１の鉱物の粉体、および、ゲルマニウムパウダーからなる第２の鉱物５の粉体を有する多数の小片膜７から構成された遠赤外線発生膜６からはマイナスイオンが放射される。このマイナスイオンの量は、温度が摂氏２０度、湿度３０％乃至５０％の環境において測定したところ、少なくとも２００ＮＳ／ｃｃ以上が発生している。この発生量は、温度と湿度によっても発生量が多少変化し、温度と湿度が高くなるに従って発生量が増加する傾向がある。また、腹巻き１を着用したときには、遠赤外線発生膜６が肌に直接接触すると共に、身体の動きによって皮膚との間で摩擦が生ずることから、マイナスイオンの量は２００ＮＳ／ｃｃ以上に上昇する。このとき、遠赤外線発生膜６が肌に直接接触しているので、マイナスイオンが直接身体内に浸透することになる。因みに、比較的マイナスイオンが多いとされる森林におけるマイナスイオン量は、約２５０ＮＳ／ｃｃである。
【００２５】
また、遠赤外線発生膜６からは、波長９ミクロンにおいて約０．９Ｗの遠赤外線が放射される。セラミックパウダー或いはブラックシリカを混合したときも遠赤外線発生膜６から遠赤外線が放射される。このように、伸縮制限部２に対応する腹巻き１の内面に、セラミックパウダー及びゲルマニウムパウダー等の鉱物の粉体からなる遠赤外線発生膜６を設けることによって、大きな放射エネルギー強度の遠赤外線が放射される。この遠赤外線が身体を適度に暖めると共にマイナスイオンが発生するので、伸縮制限部２によって締め付けパワーがさらに助長され、ダイエット効果を得ることができる。このとき、遠赤外線発生膜２が多数個の円形や多角形状に形成した小片膜７を互いに離間させて所定の範囲に配列して構成しているので、小片膜７の間から汗が放出されて通気性が良好となる。
【実施例２】
【００２６】
図６は、本発明に関わる衣類の第２の実施例として、ボクサー型パンツ１０に適用した例を示している。衣類としてのボクサー型パンツ１０は、上記腹巻き１と同様に、伸縮性を有する木綿、羊毛などの動植物繊維、或いは、ナイロン、テトロン等の合成繊維、好ましくは、綿にポリウレタンなどの素材を加えることにより伸縮性を増加させた生地が使用される。そして、ボクサー型パンツ１０の前身頃に相当する前側には、伸縮制限部２が設けられている。この伸縮制限部２は、腹巻き１と同様に、伸縮性が生地よりも小さい糸によりジグザグ状に縫製した複数条の制限帯３、４によって構成されている。このように、伸縮制限部２を設けることによって、ボクサー型パンツ１０の前身頃に相当する前側の所定部位が、生地の伸縮性を弱められ、この結果、体形補正機能が付与される。
【００２７】
また、ボクサー型パンツ１０の内面には、前述した腹巻き１に同じく、遠赤外線発生膜２が設けられている。遠赤外線発生膜６は、後方の背側に形成されている。この遠赤外線発生膜６は前方の腹部側に適宜の形状で設けても良い。
【００２８】
ボクサー型パンツ１０に設けた伸縮制限部２は、体形の補正を必要とする、人の腹部に対応させている。伸縮制限部２は生地の伸縮性が弱められ、締め付けパワーが強められているので、腹部は、伸縮制限部２に対応する部位が、強められた締め付けパワーによって圧縮され、体型が補正される。
【実施例３】
【００２９】
図７は、本発明に関わる衣類の第３の実施例として、ショーツ２０に適用した例を示している。このショーツ２０においても、上記ボクサー型パンツ１０と同じく、伸縮性を有する木綿、羊毛などの動植物繊維、或いは、ナイロン、テトロン等の合成繊維、好ましくは、綿にポリウレタンなどの素材を加えることにより伸縮性を増加させた生地が使用される。そして、ショーツ２０の前身頃に相当する前側には、伸縮制限部２が設けられている。この伸縮制限部２については、上記ボクサー型パンツ２０と同様に構成され、その詳細な説明は省略する。また、ショーツ２０の内面には、ボクサー型パンツ１０と同じく遠赤外線発生膜６が設けられている。
【００３０】
このショーツ２０に設けた伸縮制限部２も、体形の補正を必要とする、人の腹部に対応させている。伸縮制限部２は生地の伸縮性が弱められ、締め付けパワーが強められているので、腹部は、伸縮制限部２に対応する部位が、強められた締め付けパワーによって圧縮され、体型が補正される。
【００３１】
以上、本発明を実施例に基づき具体的に説明したが、本発明は上記実施例に限定されるものではなく、その要旨を逸脱しない範囲で種々変形可能であることは言うまでもない。前述した実施例においては、衣類として腹巻きおよびパンツを例示して説明したが、これらの形状や構成は適宜に変更可能である。また、衣類としては、その他、アンダーウエア、ズボン下、ガードル、ブラジャー、靴下等に適用でき、胴部の他、腕や足等の体型の補正を必要とする所定の部位に伸縮制限部を設けても良い。
【産業上の利用可能性】
【００３２】
本発明は、腹巻きやパンツ等の衣類に適用可能である。
【図面の簡単な説明】
【００３３】
【図１】本発明に関わる衣類の第１の実施例として腹巻きに適用した例を示す斜視図である。
【図２】（Ａ）（Ｂ）（Ｃ）は、制限帯の伸縮制限作用を説明する説明図である。
【図３】（Ａ）（Ｂ）（Ｃ）は、制限帯をクロスさせさせたときの伸縮制限作用を説明する説明図である。
【図４】腹巻きを装着したときの状態を示す側面図である。
【図５】腹巻きに遠赤外線発生膜を設けた状態を示す要部斜視部である。
【図６】本発明に関わる衣類の第２の実施例としてパンツに適用した例を示す斜視図である。
【図７】本発明に関わる衣類の第３の実施例としてショーツに適用した例を示す斜視図である。
【符号の説明】
【００３４】
１      腹巻き（衣類）
２      伸縮制限部
３、４  制限帯
３ａ、４ａ  糸
６      遠赤外線発生膜
【図１】
2009068136.tif 000003
【図２】
2009068136.tif 000004
【図３】
2009068136.tif 000005
【図４】
2009068136.tif 000006
【図５】
2009068136.tif 000007
【図６】
2009068136.tif 000008
【図７】
2009068136.tif 000009